(57)【要約】【課題】            コネクタに組み込まれるコンタクトの上側アームを長くし、弾性変形を大きくさせ、上側アームの接点の接続対象物への接触圧を一定に保たせる。【解決手段】        絶縁ハウジング（２）の後方に開口部（６）を設け、この開口部（６）にアクチュエータ（５）を配す。第１コンタクト（３）は中空部（１６）を有すＵ字状部（８）を有し、一方の壁部（１０）の上部より上側アーム（１１）を前方へ延在させる。中空部（１６）へはアクチュエータ（５）のフランジ部（１５）が挿入可能で、アクチュエータ（５）の閉のとき、上側アーム（１１）の上向きの弾性変形を小とさせかつ下向きの弾性変形を大とさせ得る。【選択図】          図１
2006202606.tif 000002
【特許請求の範囲】
【請求項１】
後方に開口部を有する絶縁ハウジングと、絶縁ハウジングの後方より絶縁ハウジング内に挿入される第１コンタクトと、第１コンタクトと並列に配される第２コンタクトと、絶縁ハウジングの後方の開口部に位置しかつ開位置と閉位置とを選択的にとるアクチュエータとを有し、第１コンタクトがＵ字状部を有する基部と、Ｕ字状部の一方の側壁部の下部より延在しかつ絶縁ハウジング内に挿入される下側アームと、該一方の側壁部の上部より絶縁ハウジングの前方へと延在する上側アームとを有し、アクチュエータがカム部材と挿入部とを有し、アクチュエータが開位置をとるときカム部が上側アームの下部に接し、閉位置をとるとき挿入部がＵ字状部の対向する両側壁部間内に挿入されることを特徴とするコネクタ。
【請求項２】
第２コンタクトが接点を有する上側アームを有し、アクチュエータのカム部材が上側アームの上面に接しかつアクチュエータの閉時アクチュエータがハウジングの壁面に当接することを特徴とする請求項１記載のコネクタ。
【請求項３】
アクチュエータ開時、Ｕ字状部の一方の側壁部の下部を第１の支点とし、上側アームが弾性変形可能であり、かつアクチュエータ閉時、Ｕ字状部の一方の側壁部の上部を第２の支点とし、上側アームが弾性変形可能である請求項１記載のコネクタ。
【請求項４】
第２の支点がアクチュエータの挿入部と一方の側壁部との接触点よりなる請求項３記載のコネクタ。
【発明の詳細な説明】
【技術分野】
【０００１】
本発明は、フレキシブルプリント基板（ＦＰＣ）やフレキシブルフラットケーブル（ＦＦＣ）等の接続対象物用コネクタに関する。
【背景技術】
【０００２】
パーソナルコンピューターやテレビジョン受像器、ゲーム機器、携帯電話等の急速な普及に伴い、プリント配線板等にコネクタを半田付けし、このコネクタにフレキシブルプリント基板（ＦＰＣ）やフレキシブルフラットケーブル（ＦＦＣ）等の接続対象物を挿入し、コネクタ内の各コンタクトにＦＰＣやＦＦＣ等の接続対象物の各ケーブルを電気的に導通状態となるよう圧接させている。各種機器の電気回路や多数の電子部品との電気的接続にはコネクタは必須部品となっている。
【０００３】
この種のコネクタは合成樹脂製のハウジング内に導電材からなるコンタクトを複数個並設して配した構成を有し、ハウジング内にＦＰＣ又はＦＦＣを挿入した後、ハウジングに回動自在に支持されたアクチュエータを動作させ、各コンタクトの接触子を接続対象物の対応ケーブルに夫々圧接させて電気的導通関係を得ている。
このコネクタは、接続対象物の各ケーブルをプリント配線板等に直接半田付けする必要がなく多用されている。
【０００４】
【特許文献１】実用新案登録第３０１９２７９号明細書
【特許文献２】特開２００１−１１０４８３号公報
【発明の開示】
【発明が解決しようとする課題】
【０００５】
従来のコネクタは、ターミナルの本体から略水平にアームを延在させその自由端を接点即ち接触子としている。接点の接続対象物への圧接はアームのもつ弾力に依存している。しかしながら、従来のコネクタは、ハウジングの前方に開口部を設け、この開口部にアクチュエータを配し、アクチュエータの下方にコンタクトのアームの自由端をもってくる構成とし、コンタクトの基部をハウジングの後方に配し、アームをできる限り長い片持ち梁タイプとしても限界があり、アームの弾性力は小さいものとなっている。
【０００６】
それ故に、本発明は前述した従来技術の不具合を解消させることを解決すべき課題とする。
【課題を解決するための手段】
【０００７】
本発明は、前述した課題を解決するために、基本的には、ハウジングの開口部を後方に配し、後方開口部にアクチュエータを設け、コンタクトのアームを前方へと延在させる構成とさせる。この構成により、アームは長くなりアームの弾性力を大とさせ得る。
【０００８】
本発明によれば、後方に開口部を有する絶縁ハウジングと、絶縁ハウジングの後方より絶縁ハウジング内に挿入される第１コンタクトと、絶縁ハウジングの前方より絶縁ハウジング内に挿入される第２コンタクトと、絶縁ハウジングの後方の開口部に位置しかつ開位置と閉位置とを選択的にとるアクチュエータとを有し、第１コンタクトがＵ字状部を有する基部と、Ｕ字状部の一方の側壁部の下部より延在しかつ絶縁ハウジング内に挿入される下側アームと、該一方の側壁部の上部より絶縁ハウジングの前方へと延在する上側アームとを有し、アクチュエータがカム部材と挿入部とを有し、アクチュエータが開位置をとるときカム部が上側アームの下部に接し、閉位置をとるとき挿入部がＵ字状部の対向する両側壁部間内に挿入されることを特徴とするコネクタが提供される。
【０００９】
好ましくは、第２コンタクトが接点を有する上側アームを有し、アクチュエータのカム部材が上側アームの上面に接しかつアクチュエータの閉時アクチュエータがハウジングの壁面に当接する。さらに、アクチュエータ開時、Ｕ字状部の一方の側壁部の下部を第１の支点とし、上側アームが弾性変形可能であり、かつアクチュエータ閉時、Ｕ字状部の一方の側壁部の上部を第２の支点とし、上側アームが弾性変形可能である。加えて、第２の支点がアクチュエータの挿入部と一方の側壁部との接触点よりなる。
【発明の効果】
【００１０】
アクチュエータが開のとき、カム部材が第１コンタクトの上側アームを第１の支点を中心に上方へ押し上げ、その自由端が接続対象物の挿入口を拡大させる。アクチュエータが閉のとき、第１コンタクトの基部のＵ字状部の開口にアクチュエータの一部が入りかつカム部材が上側アームから解放されるので、Ｕ字状部の一方の側壁部の上部、即ち第２の支点が上側アームの基点となり、上側アームの弾性力は大となる。
アクチュエータ開時、接続対象物のハウジング内への挿入は容易となる。即ち、上側アームの先端部の弾性変位量は大きく、接続対象物のハウジングへの挿入は容易となる。
アクチュエータ閉時、第２の支点が上側アームの弾性変形の基点となり、アームを単調なものとして処理するため、上側アームの先端部の上向き変位量は少なく、上側アームの接続対象物への弾性力を確保できる。
【００１１】
アクチュエータが閉のとき、第２コンタクトの基部がアクチュエータに接し、第２コンタクトの上側アームの長さを確保する。
【発明を実施するための最良の形態】
【００１２】
図１を参照する。コネクタ１は、絶縁ハウジング２、第１と第２コンタクト３，４、アクチュエータ５よりなる。導電性の第１と第２コンタクト３，４はハウジング２内に離間して順次隣り合わせる形で配され、たとえば、第１コンタクト３が奇数極に第２コンタクト４が偶数極に配される。
絶縁ハウジング２は、後方開口部６、前方の接続対象物２１の挿入口７を有するボックス形のものであり、第１コンタクト３が絶縁ハウジング２の後方より挿入される。
【００１３】
第１コンタクト３は、Ｕ字状部８を有する基部９と、Ｕ字状部８の一方の壁部１０の上部より前方へ延在する上側アーム１１と、基部９より絶縁ハウジング２内へと延在する下側アーム１２とよりなる。
上側アーム１１の接点１３は挿入口７の近くに位置する。基部９の下部は半田付け部となる。
アクチュエータ５が絶縁ハウジング２の両側に回動自在に枢支され、絶縁ハウジング２の後方開口部６に位置する。アクチュエータ５は図１に示す開位置と図２と図３に示す閉位置とを選択的にとることができる。アクチュエータ５はカム部材１４を有し、図１に示す状態ではカム部材１４が上側アーム１１の下側と接し上側アーム１１を上方へ押し上げ、接続対象物の挿入口７よりの挿入を容易にさせる。
上側アーム１１の上方への押し上げは、第１の支点２２を中心としてなされる。即ち、一方の壁部１０の根元部を支点として上側アーム１１の先端部の上方への弾性変形を可能にし、アームの長さを長くとることができることから、弾性変形量を大とさせ得る。
【００１４】
アクチュエータ５は、Ｕ字状部８の中空部１６へ挿入されるフランジ部１５を有す。図２に示すように、接続対象物を挿入した後、アクチュエータ５を閉位置に移動させると、フランジ部１５が中空部１６内に入り、上側アーム１１の曲部がフランジ部１５の壁面に接し、上側アーム１１の上向きの動きを規制する。このため、上側アーム１１の先端部は第２の支点２３を基点とする弾性変形となり、アームの長さは短く、上側アーム１１の先端部の上向きの変位量は少ない。接点１３の接続対象物２１への押圧力を一定かつ大とさせ得る。この際、カム部材１４は上側アーム１１から解放され、上側アーム１１の下向きの弾性力を阻害しない。
図２に示す状態では、接続対象物が接点１３と接し、上側アーム１１を上向きに押し返すが上側アーム１１の曲部とフランジ部１５との接触が上側アーム１１のこの動きを規制する。かくして、接点１３の接続対象物への適正な接触圧が保証される。
【００１５】
第２コンタクト４は、図３に示す如く、絶縁ハウジング２の前方より絶縁ハウジング２内に挿入され、その基板１７の一部が絶縁ハウジング２内に支持され、上側アーム１８が基板１７の離間して平行する形で前方へ延在する。上側アーム１８は接点１９をその自由端部に有す。
図１に示すアクチュエータ５の開時、カム部材１４が第２コンタクト４の基板１７に接し、図３に示すアクチュエータ閉時、アクチュエータ５の下面２０が基板１７と絶縁ハウジング２に接し、アクチュエータ５の動きを規制する。
尚、図中０はアクチュエータ５の回転中心を示す。
【図面の簡単な説明】
【００１６】
【図１】アクチュエータを開にしたときのコネクタの断面図である。
【図２】アクチュエータを閉にしたときの第１コンタクトの状態を示す断面図である。
【図３】アクチュエータを閉にしたときの第２コンタクトの状態を示す断面図である。
【符号の説明】
【００１７】
１    コネクタ
２    ハウジング
３，４    コンタクト
５    アクチュエータ
６    後方開口部
７    挿入口
８    Ｕ字状部
９    基部
１０    一方の壁部
１１，１２，１８    アーム
１４    カム部材
１５    フランジ部
２１    接続対象物
２２    第１の支点
２３    第２の支点
【図１】
2006202606.tif 000003
【図２】
2006202606.tif 000004
【図３】
2006202606.tif 000005